(57)【要約】【課題】従来の加湿器では、上流側加湿フィルタおよび下流側加湿フィルタが接触して、気化効率が低下するおそれがある。【解決手段】送風ファンによって発生した空気流の上流側に配置された上流側加湿フィルタ３２と、上流側加湿フィルタ３２との間に間隙Ｈが形成されるように、上流側加湿フィルタ３２の下流側に配置された下流側加湿フィルタ３３と、上流側加湿フィルタ３２および下流側加湿フィルタ３３の中央部に形成された貫通孔３２Ａ、３３Ａを通過する駆動軸３５（軸部）と、上流側加湿フィルタ３２の内周部と下流側加湿フィルタ３３の内周部との間に配置される第１スペーサ４３を有している。【選択図】図３
2016017658.tif 000002
【特許請求の範囲】
【請求項１】
ケーシングの内部に配置された送風ファンと、
前記送風ファンによって発生した空気流の上流側に配置された上流側加湿フィルタと、
前記上流側加湿フィルタとの間に間隙が形成されるように、前記上流側加湿フィルタの下流側に配置された下流側加湿フィルタと、
前記上流側加湿フィルタおよび前記下流側加湿フィルタの中央部にそれぞれ形成された孔を通過する軸部と、
前記上流側加湿フィルタの内周部と前記下流側加湿フィルタの内周部との間に配置される第１スペーサとを備えることを特徴とする加湿器。
【請求項２】
前記第１スペーサが前記軸部に設けられることを特徴とする請求項１に記載の加湿器。
【請求項３】
前記上流側加湿フィルタの外周部と前記下流側加湿フィルタの外周部との間に配置される第２スペーサを有することを特徴とする請求項１または２に記載の加湿器。
【請求項４】
前記第２スペーサが、水貯留部に貯留された水を前記上流側加湿フィルタおよび前記下流側加湿フィルタの少なくとも一方に水掛けする水掛部材であることを特徴とする請求項３に記載の加湿器。
【請求項５】
前記軸部に取りつけられ、前記上流側加湿フィルタと対向するように配置された対向部材を有しており、
前記対向部材は、
前記上流側加湿フィルタの外周部に進入して、前記上流側加湿フィルタを当該対向部材に固定するための突出部を有することを特徴とする請求項１−４のいずれかに記載の加湿器。
【請求項６】
前記軸部の端部が取り付けられる取付部を有し、前記軸部を回転駆動する駆動機構を備えており、
前記軸部の端部は、前記取付部に対して当該軸部の軸方向に取り外し可能に構成されることを特徴とする請求項１−５のいずれかに記載の加湿器。
【発明の詳細な説明】
【技術分野】
【０００１】
本発明は、室内空気を加湿する加湿器に関する。
【背景技術】
【０００２】
従来の加湿器としては、ケーシングの内部に配置された送風ファンと、送風ファンによって発生した空気流の上流側に配置された上流側加湿フィルタと、上流側加湿フィルタの下流側に配置された下流側加湿フィルタとを備えたものがある。
【先行技術文献】
【特許文献】
【０００３】
【特許文献１】特開２０１０−１０７１３４号公報
【発明の概要】
【発明が解決しようとする課題】
【０００４】
上記のような加湿器では、送風ファンによって発生した空気流によって上流側加湿フィルタが下流側に移動する問題がある。その結果、上流側加湿フィルタおよび下流側加湿フィルタが接触して、気化効率が低下するおそれがある。
【０００５】
そこで、本発明の目的は、上流側加湿フィルタおよび下流側加湿フィルタが接触するのを防止できる加湿器を提供することである。
【０００６】
第１の発明にかかる加湿器は、ケーシングの内部に配置された送風ファンと、前記送風ファンによって発生した空気流の上流側に配置された上流側加湿フィルタと、前記上流側加湿フィルタとの間に間隙が形成されるように、前記上流側加湿フィルタの下流側に配置された下流側加湿フィルタと、前記上流側加湿フィルタおよび前記下流側加湿フィルタの中央部にそれぞれ形成された孔を通過する軸部と、前記上流側加湿フィルタの内周部と前記下流側加湿フィルタの内周部との間に配置される第１スペーサとを備えることを特徴とする。
【０００７】
この加湿器では、上流側加湿フィルタの内周部と下流側加湿フィルタの内周部との間にスペーサが配置されるので、上流側加湿フィルタおよび下流側加湿フィルタが接触するのを防止できる。
【０００８】
第２の発明にかかる加湿器は、第１の発明にかかる加湿器において、前記第１スペーサが前記軸部に設けられることを特徴とする。
【０００９】
この加湿器では、スペーサが軸部に設けられるので、上流側加湿フィルタの内周部と下流側加湿フィルタの内周部との間にスペーサを設けやすい。
【００１０】
第３の発明にかかる加湿器は、第１または第２の発明にかかる加湿器において、前記上流側加湿フィルタの外周部と前記下流側加湿フィルタの外周部との間に配置される第２スペーサを有することを特徴とする。
【００１１】
この加湿器では、上流側加湿フィルタの外周部と下流側加湿フィルタの外周部との間にスペーサが配置されるので、上流側加湿フィルタおよび下流側加湿フィルタの外周部において、上流側加湿フィルタおよび下流側加湿フィルタが接触するのを防止できる。したがって、上流側加湿フィルタおよび下流側加湿フィルタが接触するのをより防止しやすい。
【００１２】
第４の発明にかかる加湿器は、第３の発明にかかる加湿器において、前記第２スペーサが、水貯留部に貯留された水を前記上流側加湿フィルタおよび前記下流側加湿フィルタの少なくとも一方に水掛けする水掛部材であることを特徴とする。
【００１３】
この加湿器では、水掛部材がスペーサを兼ねるので、スペーサ用に新たに部材を設ける必要がない。したがって、部材コストを上昇させることなく、上流側加湿フィルタおよび下流側加湿フィルタの外周部において、上流側加湿フィルタおよび下流側加湿フィルタが接触するのを防止できる。
【００１４】
第５の発明にかかる加湿器は、第１−第４のいずれかの発明にかかる加湿器において、前記軸部に取りつけられ、前記上流側加湿フィルタと対向するように配置された対向部材を有しており、前記対向部材は、前記上流側加湿フィルタの外周部に進入して、前記上流側加湿フィルタを当該対向部材に固定するための突出部を有することを特徴とする。
【００１５】
この加湿器では、上流側加湿フィルタおよび下流側加湿フィルタの外周部において、上流側加湿フィルタおよび下流側加湿フィルタが接触するのをより防止しやすい。
【００１６】
第６の発明にかかる加湿器は、第１−第５のいずれかの発明にかかる加湿器において、前記軸部の端部が取り付けられる取付部を有し、前記軸部を回転駆動する駆動機構を備えており、前記軸部の端部は、前記取付部に対して当該軸部の軸方向に取り外し可能に構成されることを特徴とする。
【００１７】
この加湿器では、駆動機構から軸部を容易に取り外すことができるので、加湿器のメンテナンス性が向上する。
【発明の効果】
【００１８】
以上の説明に述べたように、本発明によれば、以下の効果が得られる。
【００１９】
第１の発明では、上流側加湿フィルタの内周部と下流側加湿フィルタの内周部との間にスペーサが配置されるので、上流側加湿フィルタおよび下流側加湿フィルタが接触するのを防止できる。
【００２０】
第２の発明では、スペーサが軸部に設けられるので、上流側加湿フィルタの内周部と下流側加湿フィルタの内周部との間にスペーサを設けやすい。
【００２１】
第３の発明では、上流側加湿フィルタの外周部と下流側加湿フィルタの外周部との間にスペーサが配置されるので、上流側加湿フィルタおよび下流側加湿フィルタの外周部において、上流側加湿フィルタおよび下流側加湿フィルタが接触するのを防止できる。したがって、上流側加湿フィルタおよび下流側加湿フィルタが接触するのをより防止しやすい。
【００２２】
第４の発明では、水掛部材がスペーサを兼ねるので、スペーサ用に新たに部材を設ける必要がない。したがって、部材コストを上昇させることなく、上流側加湿フィルタおよび下流側加湿フィルタの外周部において、上流側加湿フィルタおよび下流側加湿フィルタが接触するのを防止できる。
【００２３】
第５の発明では、上流側加湿フィルタおよび下流側加湿フィルタの外周部において、上流側加湿フィルタおよび下流側加湿フィルタが接触するのをより防止しやすい。
【００２４】
第６の発明では、駆動機構から軸部を容易に取り外すことができるので、加湿器のメンテナンス性が向上する。
【図面の簡単な説明】
【００２５】
【図１】本発明の実施形態にかかる空気清浄機の概略正面図である。
【図２】図１に示す加湿ユニットを下流側から見た斜視図である。
【図３】図２に示す加湿ユニットの縦断面図である。
【図４】図２に示す加湿ユニットの加湿部の分解斜視図である。
【図５】加湿部の上流側回転部材単体を下流側から見た斜視図である。
【図６】加湿部の上流側回転部材単体を下流側から見たときの正面図である。
【図７】加湿部の下流側回転部材単体を上流側から見た斜視図である。
【図８】加湿部の下流側回転部材単体を上流側から見たときの正面図である。
【図９】加湿部の側面図である。
【図１０】（ａ）は、上流側回転部材と下流側回転部材を係合させる前の状態を示す図であり、（ｂ）は、上流側回転部材と下流側回転部材を係合させた後の状態を示す図である。
【図１１】（ａ）は、加湿部の駆動軸の側面図であり、（ｂ）は、正面図である。
【発明を実施するための形態】
【００２６】
以下、図面を参照しつつ、本発明の実施形態について説明する。
【００２７】
［空気清浄機の全体構成］
本発明の実施形態にかかる加湿機能付き空気清浄機１（加湿器）は、図１に示すように、ケーシング２と、ケーシング２の内部に配置された送風ファン３と、空気に含まれる塵埃を除去する空気清浄フィルタ４と、空気を加湿する加湿ユニット５とを有している。この加湿機能付き空気清浄機１は、加湿機能と空気清浄機能とを有し、ユーザは、空気清浄機能だけを選択することができるが、加湿機能を選択したときは空気清浄機能が伴う。
【００２８】
ケーシング２は、四角柱状であり、送風ファン３が配置される送風室１１と、空気清浄フィルタ４が配置される空気清浄室１２と、加湿ユニット５が配置される加湿室１３とを有している。これらは、下方から上方に向かって送風室１１、空気清浄室１２、加湿室１３の順に並んでいる。つまり、空気清浄機１は、縦に延びる形状となるので、設置面積が小さくなる。
【００２９】
ケーシング２の左側面１４および右側面１５には、それぞれ左吸込口１６および右吸込口１７が設けられている。また、ケーシング２の天面１８には、空気吹出口１９が設けられている。左吸込口１６および右吸込口１７は、ケーシング２の左側面１４および右側面１５の下方に設けられ、送風室１１に連通している。また、空気吹出口１９は、加湿室１３に連通している。
【００３０】
送風ファン３は、例えばシロッコファンであり、空気清浄フィルタ４に対して空気を送風する。この送風ファン３が駆動することによって、左吸込口１６および右吸込口１７から空気吹出口１９に至る空気流が発生する。この空気流は、図１に示すように、下方から上方に向かって、送風ファン３、空気清浄フィルタ４、加湿ユニット５の順に流れる。なお、空気清浄フィルタ４は、送風ファン３と加湿ユニット５との間において、略水平に配置されている。また、加湿ユニット５（後述する駆動機構２４を除く）は、右側面１５に設けられた扉から水平に取り出し可能となっている。
【００３１】
［加湿ユニット］
図２に示すように、加湿ユニット５は、加湿部２１と、加湿部２１の下方に配置された水トレー２２（水貯留部）と、水トレー２２に取り付けられた貯水タンク２３（図１参照）と、加湿部２１を回転させる駆動機構２４とを備えている。
【００３２】
＜加湿部＞
図３及び図４に示すように、加湿部２１は、上流側回転部材３１（対向部材）と、上流側加湿フィルタ３２と、下流側加湿フィルタ３３と、下流側回転部材３４とを有している。これらは送風ファン３によって発生した空気流の上流側から下流側に向かって上流側回転部材３１、上流側加湿フィルタ３２、下流側加湿フィルタ３３、下流側回転部材３４の順に配置されている。上流側回転部材３１、上流側加湿フィルタ３２、下流側加湿フィルタ３３、および下流側回転部材３４は、それぞれ駆動軸３５（軸部）に取り付けられており、駆動軸３５の回転に伴って一体的に回転する。
【００３３】
上流側加湿フィルタ３２は、例えば不織布で成形された円板状の気化フィルタであり、上流側回転部材３１に取り付けられている。この上流側加湿フィルタ３２の中央部には、貫通孔３２Ａ（孔）が形成されており、駆動軸３５（軸部）の軸本体４１が通過している。この上流側加湿フィルタ３２は、上流側回転部材３１とともに回転しながら、上流側加湿フィルタ３２を通過する空気流に水分を供給して、上流側加湿フィルタ３２を通過する空気流を加湿する。
【００３４】
下流側加湿フィルタ３３は、上述の上流側加湿フィルタ３２と略同様の構成を有する。この下流側加湿フィルタ３３は、例えば不織布で成形された円板状の気化フィルタであり、下流側回転部材３４に取り付けられている。この下流側加湿フィルタ３３の中央部には、貫通孔３３Ａ（孔）が形成されており、駆動軸３５（軸部）の軸本体４１が通過している。この下流側加湿フィルタ３３は、上流側加湿フィルタ３２との間に間隙が形成されるように、上流側加湿フィルタ３２の下流側に配置されている。この下流側加湿フィルタ３３は、下流側回転部材３４とともに回転しながら、下流側加湿フィルタ３３を通過する空気流に水分を供給して、下流側加湿フィルタ３３を通過する空気流を加湿する。図３に示すように、上流側加湿フィルタ３２の厚みＴ１と下流側加湿フィルタ３３の厚みＴ２とは略同じとされている。
【００３５】
上流側加湿フィルタ３２と下流側加湿フィルタ３３との間の間隙Ｈの大きさは、例えば上流側加湿フィルタ３２の厚みＴ１または下流側加湿フィルタ３３の厚みＴ２と略同じまたはそれより大きくされている。また、例えば後述する第２バケット７１（水掛部材、第２スペーサ）の厚みまたは後述する第１バケット８１（水掛部材、第２スペーサ）の厚みと略同じとされている。この間隙Ｈは、例えば送風ファン３によって発生した空気流によって、上流側加湿フィルタ３２が下流側加湿フィルタ３３に移動・接触して気化効率が低下するのを防止するために設けられている。図３に示すように、上流側加湿フィルタ３２の内周部３２Ｉと下流側加湿フィルタ３３の内周部３３Ｉとの間には、駆動軸３５に設けられる第１スペーサ４３が配置されている。したがって、上流側加湿フィルタ３２および下流側加湿フィルタ３３の間において、上流側加湿フィルタ３２と下流側加湿フィルタ３３との間の間隙が保持されている。また、上流側加湿フィルタ３２の外周部３２Ｏと下流側加湿フィルタ３３の外周部３３Ｏとの間には、後述する第２バケット７１（第２スペーサ）および後述する第１バケット８１（第２スペーサ）が配置されている。したがって、上流側加湿フィルタ３２および下流側加湿フィルタ３３の外周部において、上流側加湿フィルタ３２と下流側加湿フィルタ３３との間の間隙が保持されている。なお、上流側加湿フィルタ３２の内周部３２Ｉおよび下流側加湿フィルタ３３の内周部３３Ｉとは、それぞれ、例えば上流側加湿フィルタ３２および下流側加湿フィルタ３３の内縁から内縁と外縁の中央までの範囲を言う。また、上流側加湿フィルタ３２の外周部３２Ｏおよび下流側加湿フィルタ３３の外周部３３Ｏとは、それぞれ、例えば上流側加湿フィルタ３２および下流側加湿フィルタ３３の外縁から内縁と外縁の中央までの範囲を言う。
【００３６】
図５及び図６に示すように、上流側回転部材３１（対向部材）は、上流側加湿フィルタ３２の上流側に配置され、上流側加湿フィルタ３２を支持している。この上流側回転部材３１は、上流側加湿フィルタ３２に対向するように配置されている。この上流側回転部材３１は、中央部から径方向外側に向かって放射状に延びた例えば６本の枠部５１（上流側回転部材の枠部）と、上流側加湿フィルタ３２の径方向外側に配置された環状の外壁部５２と、中央部に配置され下流側に向かって突出したボス部５３とを有している。６本の枠部５１は、上流側加湿フィルタ３２の上流側から上流側加湿フィルタ３２を支持している。ボス部５３は、上流側加湿フィルタ３２の中央部に形成された貫通孔３２Ａに挿入され、ボス部５３の内側には、駆動軸３５の軸本体４１が挿通されている。ボス部５３の内周面および駆動軸３５の軸本体４１の外周面は、例えば多角形（例えば６角形）且つ対応した大きさとされており、周方向について噛み合っている。したがって、上流側回転部材３１は、駆動軸３５の回転に伴って一体的に回転する。図３に示すように、上流側加湿フィルタ３２の内周部３２Ｉは、６本の枠部５１と駆動軸３５の第１スペーサ４３との間に配置されており、上流側加湿フィルタ３２の外周部３２Ｏは、６本の枠部５１（上流側回転部材の枠部）と下流側回転部材３４に取り付けられた後述する６つの第１バケット８１（第１水掛部材）との間に配置されている。
【００３７】
下流側回転部材３４は、上述の上流側回転部材３１と略同様の構成を有する。図７及び図８に示すように、下流側回転部材３４は、下流側加湿フィルタ３３の下流側に配置され、下流側加湿フィルタ３３を支持している。この下流側回転部材３４は、下流側加湿フィルタ３３に対向するように配置されている。この下流側回転部材３４は、中央部から径方向外側に向かって放射状に延びた例えば６本の枠部６１（上流側回転部材の枠部）と、下流側加湿フィルタ３３の径方向外側に配置された環状の外壁部６２と、中央部に配置され上流側に向かって突出したボス部６３とを有している。６本の枠部６１は、下流側加湿フィルタ３３の下流側から下流側加湿フィルタ３３を支持している。ボス部６３は、下流側加湿フィルタ３３の中央部に形成された貫通孔３３Ａに挿入されており、ボス部６３の内側には、駆動軸３５の軸本体４１が挿通されている。ボス部６３の内周面および駆動軸３５の軸本体４１の外周面は、例えば多角形（例えば６角形）且つ対応した大きさとされており、周方向について噛み合っている。したがって、下流側回転部材３４は、駆動軸３５および上流側回転部材３１とともに一体的に回転する。図３に示すように、下流側加湿フィルタ３３の内周部３３Ｉは、６本の枠部６１と駆動軸３５の第１スペーサ４３との間に配置されており、下流側加湿フィルタ３３の外周部３３Ｏは、６本の枠部６１と上流側回転部材３１に取り付けられた後述する６つの第２バケット７１（水掛部材）との間に配置されている。また、下流側回転部材３４の外壁部６２には、上流側に向かって突出した複数の爪部６４が形成されている。この複数の爪部６４が、上流側回転部材３１の外壁部５２に形成された凹部５４に係合することにより、上流側回転部材３１および下流側回転部材３４が、内部に上流側加湿フィルタ３２および下流側加湿フィルタ３３を収容した状態で一体化されている。
【００３８】
図３に示すように、６つの第１バケット８１および６つの第２バケット７１は、それぞれ上流側加湿フィルタ３２の外周部３２Ｏと下流側加湿フィルタ３３の外周部３３Ｏとの間に配置されている。具体的には、第１バケット８１の後述する内側部分８４および第２バケット７１の後述する内側部分７４が、上流側加湿フィルタ３２の外周部３２Ｏと下流側加湿フィルタ３３の外周部３３Ｏとの間に配置されている。６つの第１バケット８１は、水トレー２２に貯留された水を汲み上げて上流側加湿フィルタ３２に水掛けするものであり、下流側回転部材３４の外壁部６２に取り付けられている。具体的には、下流側回転部材３４の外壁部６２から上流側に突出するように配置されている。また、６つの第２バケット７１は、水トレー２２に貯留された水を汲み上げて下流側加湿フィルタ３３に水掛けするものであり、上流側回転部材３１の外壁部５２に取り付けられている。詳しくは、上流側回転部材３１の外壁部５２から下流側に突出するように配置されている。６つの第１バケット８１は、下流側回転部材３４の周方向について離れた位置（例えば等間隔）に配置されており、６つの第２バケット７１は、上流側回転部材３１の周方向について離れた位置（例えば等間隔）に配置されている。
【００３９】
図７及び図８に示すように、第１バケット８１（水掛部材、第２スペーサ）は、水が貯留されるバケット部８２と、下流側回転部材３４の回転方向前方に形成され且つバケット部８２に連通する第１水汲み口８３と、下流側回転部材３４の外壁部６２よりも径方向内側に突出した内側部分８４に設けられ、上流側加湿フィルタ３２に向かって開口した第１水吐出口８５とを有している。この第１バケット８１の第１水汲み口８３は、下流側回転部材３４の下端付近に位置した状態において、水トレー２２の内部に配置される。したがって、第１バケット８１の第１水汲み口８３からバケット部８２に水が汲み上げられる。そして、下流側回転部材３４の回転に伴って第１バケット８１が移動して、第１水吐出口８５が下流側回転部材３４の上端付近に移動すると、第１水吐出口８５から水が放出され、上流側加湿フィルタ３２に水掛けされる。図３及び図７に示すように、内側部分８４は、第１水吐出口８５がバケット部８２の上流側端部よりも上流側に突出するように突出した突出部分８６を有しており、第１水吐出口８５が下流側加湿フィルタ３３に押し付けられている。また、内側部分８４は、下流側に突出したリブ８７を有している。なお、この空気清浄機１では、第１水吐出口８５が上流側加湿フィルタ３２に対向しているが、第１水吐出口８５が上流側加湿フィルタ３２に向かって開口するとは、必ずしも第１水吐出口８５が上流側加湿フィルタ３２に対向していることを指すものではなく、第１水吐出口８５から吐出された水が上流側加湿フィルタ３２に水掛けされるのであれば、第１水吐出口８５が上流側加湿フィルタ３２に対向していなくてもよい。
【００４０】
第２バケット７１（水掛部材、第２スペーサ）は、第１バケット８１と略同様の構成を有する。図５及び図６に示すように、この第２バケット７１は、水が貯留されるバケット部７２と、上流側回転部材３１の回転方向前方に形成され且つバケット部７２に連通する第２水汲み口７３と、上流側回転部材３１の外壁部５２よりも径方向内側に突出した内側部分７４に設けられ、下流側加湿フィルタ３３に向かって開口した第２水吐出口７５とを有している。この第２バケット７１の第２水汲み口７３は、上流側回転部材３１の下端付近に位置した状態において、水トレー２２の内部に配置される。したがって、第２バケット７１の第２水汲み口７３からバケット部７２に水が汲み上げられる。そして、上流側回転部材３１の回転に伴って第２バケット７１が移動して、第２水吐出口７５が上流側回転部材３１の上端付近に移動すると、第２水吐出口７５から水が放出され、下流側加湿フィルタ３３に水掛けされる。図３及び図５に示すように、内側部分７４は、第２水吐出口７５がバケット部７２の下流側端部よりも下流側に突出するように突出した突出部分７６を有しており、第２水吐出口７５が上流側加湿フィルタ３２に押し付けられている。また、内側部分７４は、上流側に突出したリブ７７を有している。なお、図３に示すように、第１バケット８１のバケット部８２の厚みＴ４と、第２バケット７１のバケット部７２の厚みＴ３は略同じである。また、図６及び図８に示すように、第１バケット８１のバケット部８２の周方向長さと、第２バケット７１のバケット部７２の周方向長さも略同じである。したがって、第１バケット８１のバケット部８２の貯水量と、第２バケット７１のバケット部８２の貯水量は略同じである。なお、この空気清浄機１では、第２水吐出口７５が下流側加湿フィルタ３３に対向しているが、第２水吐出口７５が下流側加湿フィルタ３３に向かって開口するとは、必ずしも第２水吐出口７５が下流側加湿フィルタ３３に対向していることを指すものではなく、第２水吐出口７５から吐出された水が下流側加湿フィルタ３３に水掛けされるのであれば、第２水吐出口７５が下流側加湿フィルタ３３に対向していなくてもよい。
【００４１】
ここで、図６に記載した位置（Ａ）−（Ｆ）と、図８に記載した位置（Ａ）−（Ｆ）は対応している。したがって、６つの第１バケット８１および６つの第２バケット７１の全ては、上流側回転部材３１、下流側回転部材３４の周方向についてずれて配置される。ここで、第１バケット８１および第２バケット７１が、周方向についてずれて配置されるとは、駆動軸３５の軸方向から見て、第１バケット８１および第２バケット７１が重ならないことを意味する。
【００４２】
第１バケット８１および第２バケット７１の少なくとも一部は、上流側回転部材３１、下流側回転部材３４に平行な同一平面上（空気流の流れ方向に直交する同一平面上）に配置されている。換言すれば、図９に示すように、加湿部２１の径方向外側（側面）から見て、第１バケット８１および第２バケット７１の少なくとも一部が、空気流の流れ方向に直交する方向（駆動軸３５の軸方向と直交する方向、図９中の上下方向）について重なっている。
【００４３】
また、図６及び図８に示すように、６つの第１水吐出口８５および６つの第２水吐出口７５の全ては、上流側回転部材３１および下流側回転部材３４の周方向についてずれて配置される。ここで、第１水吐出口８５および第２水吐出口７５が、周方向についてずれて配置されるとは、駆動軸３５の軸方向から見て、第１水吐出口８５および第２水吐出口７５が重ならないことを意味する。
【００４４】
図５及び図６に示すように、上流側回転部材３１は、下流側に向かって突出し、上流側加湿フィルタ３２の外周部３２Ｏに進入して上流側加湿フィルタ３２を上流側回転部材３１に固定する６つの第１突出部９１（突出部）を有している。詳しくは、この６つの第１突出部９１は、上流側加湿フィルタ３２の外周部３２Ｏに形成された穴３２Ｈ（図４参照）を貫通している。第１突出部９１は、６本の枠部５１のそれぞれから下流側に突出している。
【００４５】
これら６つの第１突出部９１と上流側回転部材３１に取り付けられた第２バケット７１との全ては、図６に示すように、上流側回転部材３１の周方向についてずれて配置されている。例えば、第１突出部９１が上流側回転部材３１の周方向について第２バケット７１と同じ位置に配置される場合には、上流側加湿フィルタ３２を上流側回転部材３１に取り付ける際に、上流側加湿フィルタ３２を上流側回転部材３１の６つの枠部５１と第２バケット７１との間に配置させる動作（挟む動作）と、第１突出部９１を上流側加湿フィルタ３２に進入させる動作を略同時に行う必要があるため、上流側加湿フィルタ３２を上流側回転部材３１に取り付ける作業が煩雑になる。しかし、本実施形態の上流側回転部材３１は、第１突出部９１と第２バケット７１の全てが、上流側回転部材３１の周方向についてずれて配置されるので、上流側加湿フィルタ３２を上流側回転部材３１の６つの枠部５１と第２バケット７１との間に配置させたあと（挟んだあと）で、第１突出部９１を上流側加湿フィルタ３２に進入させればよいので、または逆に、第１突出部９１を上流側加湿フィルタ３２に進入させたあとで、上流側加湿フィルタ３２を上流側回転部材３１の６つの枠部５１と第２バケット７１との間に配置させれば（挟めば）よいので、上流側加湿フィルタ３２を上流側回転部材３１に取り付ける作業が容易となる。
【００４６】
また、図７及び図８に示すように、下流側回転部材３４は、上流側に向かって突出し、下流側加湿フィルタ３３の外周部３３Ｏに進入して下流側加湿フィルタ３３を下流側回転部材３４に固定する６つの第２突出部９３を有している。詳しくは、この６つの第２突出部９３は、下流側加湿フィルタ３３の外周部３３Ｏに形成された穴３３Ｈ（図４参照）を貫通している。第２突出部９３は、６本の枠部６１のそれぞれから下流側に突出している。この第２突出部９３は、上述の第１突出部９１と略同じ構成である。
【００４７】
これら６つの第２突出部９３と下流側回転部材３４に取り付けられた第１バケット８１との全ては、図８に示すように、下流側回転部材３４の周方向についてずれて配置されている。例えば、第２突出部９３が下流側回転部材３４の周方向について第１バケット８１と同じ位置に配置される場合には、下流側加湿フィルタ３３を下流側回転部材３４に取り付ける際に、下流側加湿フィルタ３３を下流側回転部材３４の６つの枠部６１と第１バケット８１との間に配置させる動作（挟む動作）と、第２突出部９３を下流側加湿フィルタ３３に進入させる動作を略同時に行う必要があるため、下流側加湿フィルタ３３を下流側回転部材３４に取り付ける作業が煩雑になる。しかし、本実施形態の下流側回転部材３４は、第２突出部９３と第１バケット８１の全てが、下流側回転部材３４の周方向についてずれて配置されるので、下流側加湿フィルタ３３を下流側回転部材３４の６つの枠部６１と第１バケット８１との間に配置させたあと（挟んだあと）で、第２突出部９３を上流側加湿フィルタ３２に進入させればよいので、または逆に、第２突出部９３を下流側加湿フィルタ３３に進入させたあとで、下流側加湿フィルタ３３を下流側回転部材３４の６つの枠部６１と第１バケット８１との間に配置させれば（挟めば）よいので、下流側加湿フィルタ３３を下流側回転部材３４に取り付ける作業が容易となる。
【００４８】
図５及び図６に示すように、上流側回転部材３１は、上流側加湿フィルタ３２の上流側近傍に配置され、かつ上流側から見て、下流側回転部材３４に取り付けられた６つの第１バケット８１の６つの第１水吐出口８５の略全域と重なるように設けられた６つの第１遮蔽板９２を有している。この第１遮蔽板９２により、送風ファン３によって発生した空気流の風圧によって第１バケット８１の第１水吐出口８５から水が吐出されるのが妨げられることが防止される。なお、第１遮蔽板９２は、上流側から見て、第１水吐出口８５の略全域と重なるが、少なくとも一部が重なっていればよい。
【００４９】
図７及び図８に示すように、下流側回転部材３４は、下流側加湿フィルタ３３の下流側近傍に配置され、かつ下流側から見て、上流側回転部材３１に取り付けられた６つの第２バケット７１の６つの第２水吐出口７５の略全域と重なるように設けられた６つの第２遮蔽板９４を有している。この第２遮蔽板９４により、第２バケット７１の第２水吐出口７５から吐出され、下流側加湿フィルタ３３を貫通した水が第２遮蔽板９４に衝突する。したがって、第２バケット７１の第２水吐出口７５から吐出された水が飛び散るのを防止できる。なお、第２遮蔽板９４は、下流側から見て、第２水吐出口７５の略全域と重なるが、少なくとも一部が重なっていればよい。
【００５０】
本実施形態の空気清浄機１では、上流側加湿フィルタ３２に水掛けする第１バケット８１が、上流側加湿フィルタ３２が取り付けられる上流側回転部材３１ではなくて、下流側加湿フィルタ３３が取り付けられる下流側回転部材３４に取り付けられる。また、下流側加湿フィルタ３３に水掛けする第２バケット７１が、下流側加湿フィルタ３３が取り付けられる下流側回転部材３４ではなくて、上流側加湿フィルタ３２が取り付けられる上流側回転部材３１に取り付けられる。そのため、以下の２つの特徴がある。
【００５１】
（特徴１）
例えば上流側加湿フィルタ３２が支持される対向部材と、上流側加湿フィルタ３２に水掛けする第１バケットが取り付けられる対向部材とが同じである場合、すなわち第１バケット８１が上流側回転部材３１に取り付けられる場合には、第１水吐出口８５（突出部分８６）が上流側加湿フィルタ３２に押し付けられるように構成するためには、上流側加湿フィルタ３２を支持する上流側回転部材３１の６本の枠部５１と、上流側回転部材３１に取り付けられた第１バケットの第１水吐出口（突出部分）との間の空間を狭くして、その狭い空間に上流側加湿フィルタ３２を配置する必要がある。そのため、第１水吐出口８５（突出部分８６）が上流側加湿フィルタ３２に押し付けられるように構成するためには、上流側加湿フィルタ３２の上流側回転部材３１への取り付けが煩雑となる。また、同様に、下流側加湿フィルタ３３が支持される対向部材と、下流側加湿フィルタ３３に水掛けする第２バケット７１が取り付けられる対向部材とが同じである場合には、下流側加湿フィルタ３３の下流側回転部材３４への取り付けが煩雑となる。
【００５２】
しかし、本実施形態の空気清浄機１では、上流側加湿フィルタ３２が支持される対向部材と、上流側加湿フィルタ３２に水掛けする第１バケット８１が取り付けられる対向部材とが異なる、すなわち、上流側加湿フィルタ３２が上流側回転部材３１に取り付けられるとともに、第１バケット８１が下流側回転部材３４に取り付けられる。そのため、図１０（ａ）に示すように、上流側回転部材３１に上流側加湿フィルタ３２を取り付けた後で、図１０（ｂ）に示すように、上流側回転部材３１と下流側回転部材３４とが係合されることによって、第１バケット８１の第１水吐出口８５（突出部分８６）が、上流側加湿フィルタ３２に押し付けられる構成となるため、上流側加湿フィルタ３２の上流側回転部材３１への取り付けが煩雑となることなく、第１水吐出口８５（突出部分８６）が上流側加湿フィルタ３２に押し付けられるように構成することが可能となる。また、同様に、下流側加湿フィルタ３３の下流側回転部材３４への取り付けが煩雑となることなく、第２水吐出口７５（突出部分７６）が下流側加湿フィルタ３３に押し付けられるように構成することが可能となる。
【００５３】
（特徴２）
また、例えば上流側加湿フィルタ３２が支持される対向部材と、上流側加湿フィルタ３２に水掛けする第１バケットが取り付けられる対向部材とが同じである場合、すなわち第１バケット８１が上流側回転部材３１に取り付けられる場合には、上流側回転部材３１単体を見たときに、第１遮蔽板９２と第１バケットの第１水吐出口とが対向することとなる。そのため、第１水吐出口を成形するための金型を軸方向上流側に抜くことが不可能となり、上流側回転部材３１の成形が困難となる。また、同様に、下流側回転部材３４においても、第２遮蔽板９４と第２バケットの第２水吐出口とが対向することとなるので、第２水吐出口を成形するための金型を軸方向下流側に抜くことが不可能となり、下流側回転部材３４の成形が困難となる。
【００５４】
しかし、本実施形態の空気清浄機１では、上流側加湿フィルタ３２が支持される対向部材と、上流側加湿フィルタ３２に水掛けする第１バケット８１が取り付けられる対向部材とが異なるので、図６に示すように、上流側回転部材３１の第１遮蔽板９２と、第１バケット８１の第１水吐出口８５とが対向することがない。したがって、上流側回転部材３１を金型で成形しやすい。また、同様に、図８に示すように、下流側回転部材３４の第２遮蔽板９４と、第２バケット７１の第２水吐出口７５とが対向することがない。したがって、下流側回転部材３４を金型で成形しやすい。
【００５５】
＜水トレー＞
図２に示すように、水トレー２２（水貯留部）は、加湿部２１の下方に配置されており、加湿部２１の上流側加湿フィルタ３２および下流側加湿フィルタ３３に供給する水を貯留する。この水トレー２２には、水トレー２２内の水量が所定量以上であるか否かを判断するフロート（図示省略）が設置されている。また、この水トレー２２は、加湿部２１の駆動軸３５を下方から支える２つの支持部２２ａ、２２ｂ（図３参照）を有している。
【００５６】
＜貯水タンク＞
貯水タンク２３は、水トレー２２の上方、かつ加湿部２１の下流側に配置されている。貯水タンク２３の下部には、注水口（図示省略）が設けられており、水トレー２２内の水位の減少により、貯水タンク２３内の水が注水口を介して水トレー２２内に流出する。
【００５７】
＜駆動機構＞
駆動機構２４は、加湿部２１の駆動軸３５を回転駆動させるものであり、図３に示すように、駆動軸３５の軸本体４１の端部４２が取り付けられる取付部２４ａと、モータ２４ｂとを有している。
【００５８】
図１１に示すように、駆動軸３５（軸部）は、軸本体４１と、軸本体４１と一体成形される上述の第１スペーサ４３とを有している。駆動軸３５の軸本体４１の端部４２は、駆動機構２４の取付部２４ａに対して駆動軸３５の周方向について噛み合うとともに、駆動軸３５の軸方向に取り外し可能に構成されている。詳しくは、駆動軸３５の端部４２の外周面および駆動機構２４の取付部２４ａの内周面が、例えば多角形（例えば６角形）かつ互いに対応した大きさに形成されることによって、周方向について噛み合うとともに、駆動軸３５の軸方向に取り外し可能となっている。なお、この加湿ユニット５（加湿部２１、水トレー２２及び貯水タンク２３）は、図１に示すように、右側面１５の扉から水平方向に取り外される。
【００５９】
＜本実施形態にかかる空気清浄機の特徴＞
本実施形態にかかる空気清浄機１（加湿器）には、以下の特徴がある。
【００６０】
本実施形態の空気清浄機１では、上流側加湿フィルタ３２の内周部３２Ｉと下流側加湿フィルタ３３の内周部３３Ｉとの間に第１スペーサ４３が配置されるので、上流側加湿フィルタ３２および下流側加湿フィルタ３３が接触するのを防止できる。
【００６１】
また、本実施形態の空気清浄機１では、第１スペーサ４３が駆動軸３５（軸部）に設けられるので、上流側加湿フィルタ３２の内周部３２Ｉと下流側加湿フィルタ３３の内周部３３Ｉとの間に第１スペーサ４３を設けやすい。
【００６２】
また、本実施形態の空気清浄機１では、上流側加湿フィルタ３２の外周部３２Ｏと下流側加湿フィルタ３３の外周部３３Ｏとの間に第１バケット８１（第２スペーサ）および第２バケット７１（第２スペーサ）が配置されるので、上流側加湿フィルタ３２および下流側加湿フィルタ３３の外周部において、上流側加湿フィルタ３２および下流側加湿フィルタ３３が接触するのを防止できる。したがって、上流側加湿フィルタ３２および下流側加湿フィルタ３３が接触するのをより防止しやすい。
【００６３】
また、本実施形態の空気清浄機１では、第１バケット８１（水掛部材）および第２バケット７１（水掛部材）がスペーサを兼ねるので、スペーサ用に新たに部材を設ける必要がない。したがって、部材コストを上昇させることなく、上流側加湿フィルタ３２および下流側加湿フィルタ３３の外周部において、上流側加湿フィルタ３２および下流側加湿フィルタ３３が接触するのを防止できる。
【００６４】
また、本実施形態の空気清浄機１では、上流側加湿フィルタ３２の外周部３２Ｏに進入して、上流側加湿フィルタ３２を上流側回転部材３１（対向部材）に固定するための第１突出部９１（突出部）を有するので、上流側加湿フィルタ３２および下流側加湿フィルタ３３の外周部において、上流側加湿フィルタ３２および下流側加湿フィルタ３３が接触するのをより防止しやすい。
【００６５】
また、本実施形態の空気清浄機１では、駆動機構２４から駆動軸３５（軸部）を容易に取り外すことができるので、空気清浄機１（加湿器）のメンテナンス性が向上する。
【００６６】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６７】
上述の実施形態では、第１スペーサ４３が駆動軸３５（軸部）に設けられる場合について説明したが、第１スペーサが駆動軸に設けられていなくてもよい。例えば、第１スペーサが、上流側加湿フィルタと下流側加湿フィルタとの間に挟持されていてもよいし、第１スペーサが上流側回転部材や下流側回転部材に設けられていてもよい。
【００６８】
また、上述の実施形態では、第１スペーサ４３と駆動軸３５（軸部）の軸本体４１とが一体成形される場合について説明したが、第１スペーサが軸部と別体で、軸部の軸本体に取りつけられるものであってもよい。
【００６９】
また、上述の実施形態では、上流側加湿フィルタ３２および下流側加湿フィルタ３３が回転する場合について説明したが、上流側加湿フィルタおよび下流側加湿フィルタが回転しないものであってもよい。
【００７０】
また、上述の実施形態では、第１バケット８１（水掛部材、第２スペーサ）および第２バケット７１（水掛部材、第２スペーサ）が、上流側加湿フィルタ３２の外周部３２Ｏと下流側加湿フィルタ３３の外周部３３Ｏとの間に配置される場合について説明したが、第１バケットおよび第２バケットの一方のみが、上流側加湿フィルタの外周部と下流側加湿フィルタの外周部との間に配置されてもよいし、第１バケットおよび第２バケットが、上流側加湿フィルタの外周部と下流側加湿フィルタの外周部との間に配置されなくてもよい。また、第２スペーサが水掛部材（第１バケット、第２バケット）と別のものであってもよい。
【００７１】
また、上述の実施形態では、上流側加湿フィルタ３２の外周部３２Ｏに進入して、上流側加湿フィルタ３２を上流側回転部材３１（対向部材）に固定するための第１突出部９１（突出部）、および、下流側加湿フィルタ３３の外周部３３Ｏに進入して、下流側加湿フィルタ３３を下流側回転部材３４に固定するための第２突出部９３を有する場合について説明したが、第１突出部（突出部）のみを有していてもよいし、第１突出部（突出部）および第２突出部を有していなくてもよい。
【００７２】
また、上述の実施形態では、駆動軸３５（軸部）の端部４２が、駆動機構２４の取付部２４ａに対して駆動軸３５の軸方向に取り外し可能なように構成される場合について説明したが、軸部の端部が、駆動機構の取付部に対して軸部の軸方向に取り外し不可であってもよい。
【００７３】
また、上述の実施形態では、加湿フィルタが空気流の流れ方向に２枚配置される場合について説明したが、加湿フィルタが空気流の流れ方向に３枚以上配置されてもよい。
【００７４】
また、上述の実施形態では、空気清浄機能と加湿機能を有する加湿機能付き空気清浄機１に本発明を適用した場合について説明したが、加湿機能のみを有する加湿器に本発明を適用してもよい。
【産業上の利用可能性】
【００７５】
本発明を利用すれば、上流側加湿フィルタおよび下流側加湿フィルタが接触するのを防止できる。
【符号の説明】
【００７６】
１  空気清浄機（加湿器）
２  ケーシング
３  送風ファン
２２  水トレー（水貯留部）
２４  駆動機構
２４ａ  取付部
３１  上流側回転部材（対向部材）
３２  上流側加湿フィルタ
３２Ａ  貫通孔（孔）
３３  下流側加湿フィルタ
３３Ａ  貫通孔（孔）
３５  駆動軸（軸部）
４２  端部
４３  第１スペーサ
７１  第２バケット（水掛部材、第２スペーサ）
８１  第１バケット（水掛部材、第２スペーサ）
９１  第１突出部（突出部）
【図１】
2016017658.tif 000003
【図２】
2016017658.tif 000004
【図３】
2016017658.tif 000005
【図４】
2016017658.tif 000006
【図５】
2016017658.tif 000007
【図６】
2016017658.tif 000008
【図７】
2016017658.tif 000009
【図８】
2016017658.tif 000010
【図９】
2016017658.tif 000011
【図１０】
2016017658.tif 000012
【図１１】
2016017658.tif 000013
【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
ケーシングの内部に配置された送風ファンと、
前記送風ファンによって発生した空気流の上流側に配置された上流側加湿フィルタと、
前記上流側加湿フィルタとの間に間隙が形成されるように、前記上流側加湿フィルタの下流側に配置された下流側加湿フィルタと、
前記上流側加湿フィルタおよび前記下流側加湿フィルタの中央部にそれぞれ形成された孔を通過する軸部と、
前記上流側加湿フィルタの内周部の前記孔と前記下流側加湿フィルタの内周部の前記孔との間に配置される第１スペーサと、
前記上流側加湿フィルタの上流側に配置され、前記上流側加湿フィルタを支持する上流側回転部材と、
前記下流側加湿フィルタの下流側に配置され、前記上流側回転部材とともに一体的に回転し且つ前記下流側加湿フィルタを支持する下流側回転部材とを有し、
前記第１スペーサが、前記上流側加湿フィルタの前記孔と前記下流側加湿フィルタの前記孔との内側において、前記上流側回転部材と前記下流側回転部材との間に配置されたことを特徴とする加湿器。
【請求項２】
前記第１スペーサが前記軸部に設けられることを特徴とする請求項１に記載の加湿器。
【請求項３】
前記上流側加湿フィルタの外周部と前記下流側加湿フィルタの外周部との間に配置される第２スペーサを有することを特徴とする請求項１または２に記載の加湿器。
【請求項４】
前記第２スペーサが、水貯留部に貯留された水を前記上流側加湿フィルタおよび前記下流側加湿フィルタの少なくとも一方に水掛けする水掛部材であることを特徴とする請求項３に記載の加湿器。
【請求項５】
前記上流側回転部材と前記下流側回転部材とは、
前記加湿フィルタの外周部に進入して、前記加湿フィルタを当該上流側回転部材または下流側回転部材に固定するための突出部を有することを特徴とする請求項１−４のいずれかに記載の加湿器。
【請求項６】
前記軸部の端部が取り付けられる取付部を有し、前記軸部を回転駆動する駆動機構を備えており、
前記軸部の端部は、前記取付部に対して当該軸部の軸方向に取り外し可能に構成されることを特徴とする請求項１−５のいずれかに記載の加湿器。
【手続補正２】
【補正対象書類名】明細書
【補正対象項目名】０００６
【補正方法】変更
【補正の内容】
【０００６】
第１の発明にかかる加湿器は、ケーシングの内部に配置された送風ファンと、前記送風ファンによって発生した空気流の上流側に配置された上流側加湿フィルタと、前記上流側加湿フィルタとの間に間隙が形成されるように、前記上流側加湿フィルタの下流側に配置された下流側加湿フィルタと、前記上流側加湿フィルタおよび前記下流側加湿フィルタの中央部にそれぞれ形成された孔を通過する軸部と、前記上流側加湿フィルタの内周部の前記孔と前記下流側加湿フィルタの内周部の前記孔との間に配置される第１スペーサと、前記上流側加湿フィルタの上流側に配置され、前記上流側加湿フィルタを支持する上流側回転部材と、前記下流側加湿フィルタの下流側に配置され、前記上流側回転部材とともに一体的に回転し且つ前記下流側加湿フィルタを支持する下流側回転部材とを有し、前記第１スペーサが、前記上流側加湿フィルタの前記孔と前記下流側加湿フィルタの前記孔との内側において、前記上流側回転部材と前記下流側回転部材との間に配置されたことを特徴とする。
【手続補正３】
【補正対象書類名】明細書
【補正対象項目名】００１４
【補正方法】変更
【補正の内容】
【００１４】
第５の発明にかかる加湿器は、第１−第４のいずれかの発明にかかる加湿器において、前記上流側回転部材と前記下流側回転部材とは、前記加湿フィルタの外周部に進入して、前記加湿フィルタを当該上流側回転部材または下流側回転部材に固定するための突出部を有することを特徴とする。